(57)【要約】【課題】  画像が形成されて排出された記録用紙の非接触型ＩＣタグとの通信を高精度に行うことができ、その記録用紙の取り扱い管理を適正に行える画像形成装置を提供する。【解決手段】  受け付けた画像形成ジョブに基づいて、非接触型ＩＣタグを有する記録用紙Ｍに画像を形成する画像形成手段４と、取得したユーザ情報を前記非接触型ＩＣタグに書き込む書込手段３と、排紙トレイ５上に排出された画像形成済み記録用紙Ｍを非接触型ＩＣタグと通信可能な位置まで移動させる移動手段１と、前記移動された記録用紙Ｍの非接触型ＩＣタグからユーザ情報を読み込む読込手段２とを備える。【選択図】    図２
2007038511.tif 000002
【特許請求の範囲】
【請求項１】
画像形成ジョブの入力を受け付ける受付手段と、
前記ジョブを入力したユーザに関する情報を取得するユーザ情報取得手段と、
前記受け付けたジョブに基づいて、非接触型ＩＣタグを有する記録用紙に画像を形成する画像形成手段と、
前記取得したユーザ情報を前記非接触型ＩＣタグに書き込む書込手段と、
前記画像形成手段により画像が形成された記録用紙が排出される排紙トレイと、
前記排紙トレイ上に排出された記録用紙を移動させる移動手段と、
前記移動手段によって移動される記録用紙の前記非接触型ＩＣタグから前記ユーザ情報を読み込む読込手段と、
を備えたことを特徴とする画像形成装置。
【請求項２】
前記移動手段は、排紙トレイから引き出された記録用紙を移動経路に沿って帰還させる循環移動手段もしくは排紙トレイから引き出された記録用紙を往復移動させる往復移動手段である請求項１に記載の画像形成装置。
【請求項３】
画像形成ジョブの入力を受け付ける受付手段と、
前記ジョブを入力したユーザに関する情報を取得するユーザ情報取得手段と、
前記受け付けたジョブに基づいて、非接触型ＩＣタグを有する記録用紙に画像を形成する画像形成手段と、
前記取得したユーザ情報を前記非接触型ＩＣタグに書き込む書込手段と、
前記非接触型ＩＣタグにユーザ情報が書き込まれた記録用紙を一時保管する記録用紙保管手段と、
前記記録用紙保管手段に保管された記録用紙を移動させる移動手段と、
前記移動手段によって移動される記録用紙の前記非接触型ＩＣタグから前記ユーザ情報を読み込む読込手段と、
排紙トレイと、
前記読込手段により読み込まれたユーザ情報に基づいて、記録用紙保管手段に保管された記録用紙の中から、ユーザによって指定された記録用紙を特定して前記排紙トレイに排出させる制御手段と、
を備えたことを特徴とする画像形成装置。
【請求項４】
前記移動手段は、記録用紙保管手段から引き出された記録用紙を移動経路に沿って帰還させる循環移動手段もしくは記録用紙保管手段から引き出された記録用紙を往復移動させる往復移動手段である請求項３に記載の画像形成装置。
【請求項５】
前記記録用紙保管手段には、開閉可能なカバーが設けられており、
前記カバーの開放動作に基づいて、記録用紙保管手段に保管されている記録用紙の移動手段による移動が開始されるものとなされている請求項３または４に記載の画像形成装置。
【発明の詳細な説明】
【技術分野】
【０００１】
この発明は、デジタル複写機やプリンタなどの画像形成装置に関し、特に排紙トレイに放置された画像形成済みの記録用紙の取り扱い管理を適正に行うことができる画像形成装置に関する。
【背景技術】
【０００２】
近年、オフィスなどでは、デジタル複写機やプリンタなどの画像形成装置を、複数のクライアント（ユーザ）の端末、例えばパーソナルコンピュータにネットーク接続して使用することが多くなってきている。
【０００３】
このような環境下では、ユーザ端末が画像形成装置から比較的離れていることが多く、自分が出力した印刷済み記録用紙を画像形成装置まで取りに行くのを忘れてしまい、画像形成装置の排紙トレイ上に記録用紙が放置されたままになることも少なくない。
【０００４】
このような場合、排紙トレイ上に自分が出力した記録用紙のみならず、他人が出力した記録用紙も一緒に放置されたままになっていると、その中から自分が出力した記録用紙を探すのは大変煩わしい作業となってしまう。また、誤って他人の記録用紙を持ち去ったり、あるいは自分の記録用紙の一部を取り残してしまうこともある。
【０００５】
このため、従来より、画像形成装置の排紙トレイ上に放置された記録用紙を出力したユーザを特定するために、記録用紙としてＲＦＩＤ（Radio Frequency Identification）等と称される非接触型ＩＣタグ付きの記録用紙を用い、排紙トレイ上に積載された前記非接触型ＩＣタグ付きの記録用紙と通信できるようにした技術が提案されている。
【０００６】
例えば、記録用紙に備えられた非接触型ＩＣタグに、プリント指示を行ったユーザに関する情報を書き込んでおき、排紙トレイ上に放置された記録用紙の非接触型ＩＣタグと定期的に通信してユーザ情報を読み込み、その読込結果に基づいて、排紙トレイ上に記録用紙を放置しているユーザを特定し、放置状態である旨の情報をそのユーザに送信するようにした技術が提案されている（特許文献１）。
【０００７】
また、排紙トレイ上に排出され積載された記録用紙の中から、自分が出力指示した記録用紙を間違えることなく選別する方法として、機密保護の点から記録用紙を一旦内部トレイに収納し、操作部からの取り出し指示により、内部トレイ上の記録用紙を外部排紙トレイに排出するようにした技術も提案されている（特許文献２）。
【特許文献１】特開２００４−２２３９６６号公報
【特許文献２】特開平１１−４２８２７号公報
【発明の開示】
【発明が解決しようとする課題】
【０００８】
しかしながら、上記した前者の公知技術では、複数枚の記録用紙が排紙トレイ上に積載されていると、各記録用紙の非接触型ＩＣタグとの通信感度が悪くなるという問題があった。
【０００９】
また、上記した後者の公知技術では、ジャムなどのイレギュラーな動作があった場合、内部トレイを開放して記録用紙を持ち出されると、放置された記録用紙の管理が困難になるという問題があった。
【００１０】
この発明は、上記実情に艦みてなされたものであり、画像形成されて排出された放置状態の記録用紙の非接触型ＩＣタグとの通信を高感度に行うことができ、その記録用紙の取り扱い管理を適正に行うことができる画像形成装置を提供することを課題とする。
【課題を解決するための手段】
【００１１】
上記課題は以下の手段によって解決される。
（１）画像形成ジョブの入力を受け付ける受付手段と、前記ジョブを入力したユーザに関する情報を取得するユーザ情報取得手段と、前記受け付けたジョブに基づいて、非接触型ＩＣタグを有する記録用紙に画像を形成する画像形成手段と、前記取得したユーザ情報を前記非接触型ＩＣタグに書き込む書込手段と、前記画像形成手段により画像が形成された記録用紙が排出される排紙トレイと、前記排紙トレイ上に排出された記録用紙を移動させる移動手段と、前記移動手段によって移動される記録用紙の前記非接触型ＩＣタグから前記ユーザ情報を読み込む読込手段と、を備えたことを特徴とする画像形成装置。
（２）前記移動手段は、排紙トレイから引き出された記録用紙を移動経路に沿って帰還させる循環移動手段もしくは排紙トレイから引き出された記録用紙を往復移動させる往復移動手段である前項１に記載の画像形成装置。
（３）画像形成ジョブの入力を受け付ける受付手段と、前記ジョブを入力したユーザに関する情報を取得するユーザ情報取得手段と、前記受け付けたジョブに基づいて、非接触型ＩＣタグを有する記録用紙に画像を形成する画像形成手段と、前記取得したユーザ情報を前記非接触型ＩＣタグに書き込む書込手段と、前記非接触型ＩＣタグにユーザ情報が書き込まれた記録用紙を一時保管する記録用紙保管手段と、前記記録用紙保管手段に保管された記録用紙を移動させる移動手段と、前記移動手段によって移動される記録用紙の前記非接触型ＩＣタグから前記ユーザ情報を読み込む読込手段と、排紙トレイと、前記読込手段により読み込まれたユーザ情報に基づいて、記録用紙保管手段に保管された記録用紙の中から、指定された記録用紙を特定して前記排紙トレイに排出させる制御手段と、を備えたことを特徴とする画像形成装置。
（４）前記移動手段は、記録用紙保管手段から引き出された記録用紙を移動経路に沿って帰還させる循環移動手段もしくは記録用紙保管手段から引き出された記録用紙を往復移動させる往復移動手段である前項３に記載の画像形成装置。
（５）前記記録用紙保管手段には、開閉可能なカバーが設けられており、前記カバーの開放動作に基づいて、記録用紙保管手段に保管されている記録用紙の移動手段による移動が開始されるものとなされている前項３または４に記載の画像形成装置。
【発明の効果】
【００１２】
前項（１）に記載の発明によれば、画像形成装置は、画像形成ジョブの入力を受け付ける共に、ジョブを入力したユーザに関する情報を取得する。そして、前記ジョブに基づいて、非接触型ＩＣタグを備えた記録用紙に画像が形成され、前記ユーザ情報が書込手段により前記非接触型ＩＣタグに書き込まれたのち、記録用紙が排紙トレイに排出される。
【００１３】
排紙トレイ上に排出された記録用紙は移動手段により移動可能となされ、その移動中に、非接触型ＩＣタグと通信可能な位置に設置された読込手段により、前記非接触型ＩＣタグに書き込まれた前記ユーザ情報が読み込まれる。
【００１４】
従って、排紙トレイ上に複数の記録用紙が積載状態で放置されていても、移動手段により１枚ごとに移動させて、前記読込手段により非接触型ＩＣタグに書き込まれたユーザ情報を読み込むことができる。このため、非接触型ＩＣタグと読込手段との通信を高感度に行うことができ、ユーザ情報を高精度に読み込むことができ、ひいては記録用紙の放置ユーザを的確に特定し得て、記録用紙の取り扱い管理を適正に行うことができる。
【００１５】
前項（２）に記載の発明によれば、記録用紙が循環移動手段により循環移動され、あるいは往復移動手段により往復移動されるときに、非接触型ＩＣタグに書き込まれたユーザ情報を読み込むことができる。
【００１６】
前項（３）に記載の発明によれば、画像形成装置は、画像形成ジョブの入力を受け付ける共に、ジョブを入力したユーザに関する情報を取得する。そして、前記ジョブに基づいて、非接触型ＩＣタグを備えた記録用紙に画像が形成され、書込手段により前記ユーザ情報が前記非接触型ＩＣタグに書き込まれたのち、記録用紙保管手段に一時保管される。
【００１７】
保管された記録用紙は移動手段により移動可能となされ、その移動中に、移動経路上またはその近傍に設置された読込手段により、前記非接触型ＩＣタグに書き込まれた前記ユーザ情報が読み込まれる。そして、読み込まれたユーザ情報に基づいて、記録用紙保管手段に保管された記録用紙の中から、ユーザによって指定された所定の記録用紙が特定され、排紙トレーに排出される。
【００１８】
従って、保管手段に複数の記録用紙が積載状態で保管されていても、移動手段により１枚ごとに移動させて、前記読込手段により非接触型ＩＣタグに書き込まれたユーザ情報を読み込むことができる。このため、非接触型ＩＣタグと読込手段との通信を高感度に行うことができ、ユーザ情報を高精度に読み込むことができ、ひいては記録用紙の放置ユーザを的確に特定し得て、記録用紙の取り扱い管理を適正に行うことができる。
【００１９】
しかも、読み込んだユーザ情報に基づいて、記録用紙保管手段に保管された記録用紙の中から、ユーザによって指定された記録用紙が特定され、排紙トレーに排出されるから、ユーザは記録用紙保管手段に保管された記録用紙の中から、自分が出力したものを探し出す必要はなく、自分が出力した記録用紙を排紙トレーに自動的に排出させることができる。
【００２０】
前項（４）に記載の発明によれば、記録用紙が循環移動手段により循環移動され、あるいは往復移動手段により往復移動されるときに、非接触型ＩＣタグに書き込まれたユーザ情報を読み込むことができる。
【００２１】
前項（５）に記載の発明によれば、カバーが開放されると記録用紙保管手段に保管されている記録用紙を移動させて非接触型ＩＣタグのユーザ情報を読み込ませればよいから、カバーが閉じているときには、次のプリントジョブを受け付けることができる。また、ジャム発生時に、ユーザが記録用紙保管手段の記録用紙を取り出そうとすれば、カバーが開放されて、記録用紙のユーザ情報を確認できるから、管理が混乱することもなくなる。
【発明を実施するための最良の形態】
【００２２】
以下、この発明の一実施形態を図面に基づいて説明する。
【００２３】
図１は、この発明の一実施形態に係る画像形成装置が適用された画像形成システムを示すブロック図である。
【００２４】
図１において、この画像形成システムは、多機能型デジタル複写機であるＭＦＰ（Multi Function Peripherals)等の画像形成装置２１と、複数のユーザ端末２２、２２・・・とを備えており、画像形成装置２１およびユーザ端末２２、２２・・・とは、ネットワーク２０を介して接続されている。
【００２５】
なお、ユーザ端末２２，２２・・・は、例えばパーソナルコンピュータ（ＰＣ）からなる。ユーザは、ユーザ端末２２を使用して前記画像形成装置２１に対して、画像データを記録用紙Ｍ（図２）にプリント出力させるためのプリントジョブの実行を指示することができる。
【００２６】
図２は、画像形成装置２１の要部構成図である。
【００２７】
図２において、この画像形成装置２１は、給紙部６と、画像形成部４と、非接触型ＩＣタグへの情報書込装置（以下、ＩＣタグライタともいう）３と、排紙トレイ５と、移動手段１と、ＩＣタグに書き込まれた情報を読み込む読込装置（以下、ＩＣタグリーダともいう）２とを備えている。
【００２８】
前記給紙部６は、非接触型ＩＣタグ（図示せず）を備えた記録用紙Ｍを画像形成部４に送給するものである。
【００２９】
前記画像形成部４は、給紙部６から送給された記録用紙Ｍに、ユーザ端末２２から送られてきたジョブに基づいて、周知の電子写真技術により画像データをプリントするものである。
【００３０】
前記ＩＣタグライタ３は、画像データをプリントされた記録用紙Ｍの非接触型ＩＣタグに対して、ユーザ端末２から送られてきたユーザ情報を書き込むものである。なお、ユーザ情報としては、例えばユーザ名やそのユーザの電子メールアドレス等がある。
【００３１】
前記排紙トレイ５は、画像データがプリントされた記録用紙Ｍが排出されるものである。
【００３２】
前記移動手段１は、排紙トレイ５上の記録用紙Ｍを循環移動させる循環搬送路１ａを有し、前記記録用紙Ｍの非接触型ＩＣタグと通信可能な位置を経由して記録用紙Ｍを帰還可能に移動させるものである。
【００３３】
前記ＩＣタグリーダ２は、循環搬送路１ａの近傍に配置され、排紙トレイ５上の記録用紙Ｍが、前記ＩＣタグリーダ２と通信可能な位置まで移動された際に、非接触型ＩＣタグに書き込まれたユーザ情報を読み込むものである。
【００３４】
図３は、画像形成装置２１の電気的構成を示すブロック図である。
【００３５】
図３おいて、この画像形成装置２１は、ＣＰＵ１１の他に、ＣＰＵ１１の動作プログラム等が格納されるとともにＣＰＵ１１のバス１０に接続されたＲＯＭ１２と、ＣＰＵ１１による作業領域を提供するＲＡＭ１３とを備えている。
【００３６】
さらに、前記バス１０には、ネットワークインターフェース（ネットワークＩ／Ｆという）部１４、操作パネル１５、記憶手段１６、前記画像形成部４、前記移動手段１、前記ＩＣタグライタ３および前記ＩＣタグリーダ２などが接続されている。
【００３７】
前記ネットワークＩ／Ｆ部１４は、前記ユーザ端末２２，２２・・・との間でのデータの授受などを行うためのインターフェイスである。
【００３８】
前記操作パネル１５は、各種データの入力や操作のためのキーボード部（図示せず）と、液晶素子などからなるタッチパネル式の表示部１５０とを備えている。
【００３９】
前記記憶手段１６は、ユーザ端末２２，２２・・・から送信されてきたプリントジョブに含まれるプリントデータや、ユーザ情報、排紙トレイ５に放置された記録用紙Ｍの管理用データ等の各種データを記憶する。
【００４０】
前記ＣＰＵ１１は、画像形成装置２１の全体を統括制御するほか、この実施形態では、ユーザ端末２２，２２・・・から送信されネットワークＩ／Ｆ部１４を介して受信されたプリントジョブを受け付ける受付手段として機能するとともに、プリントジョブと共に送信されてきた、プリントジョブを指示したユーザに関する情報（ユーザ情報）を取得するユーザ情報取得手段として機能する。また、排紙トレイ５に放置された記録用紙Ｍの管理も行う。
【００４１】
上記構成における画像形成装置２１では、ユーザ端末２２から送信されてきたプリントデータを含むプリントジョブと、ジョブと一緒に送信されてきたユーザ情報は、ネットワークＩ／Ｆ部１４を介して受信されたのち、画像データは画像形成部４に送信される一方、ユーザ情報はＩＣタグライタ３に送信される。
【００４２】
給紙部６から記録用紙Ｍが画像形成部４まで搬送されると、プリントデータに基づく画像が記録用紙Ｍにプリントされる。
【００４３】
画像が形成された記録用紙Ｍが排紙トレイ５に向けて搬送される途中で、該記録用紙Ｍにおける非接触型ＩＣタグに対して、ＩＣタグライタ３によりユーザ情報が書き込まれる。その後、記録用紙Ｍが排紙トレイ５に排出される。
【００４４】
排紙トレイ５上に排出され取り忘れられてそのまま放置された記録用紙Ｍは、移動手段１により記録用紙循環搬送路１ａに沿って定期的に移動させられる。記録用紙Ｍが所定位置まで移動すると、記録用紙における非接触型ＩＣタグに書き込まれたユーザ情報がＩＣタグリーダ２により読み込まれ、ＣＰＵ１１に送信される。
【００４５】
ＣＰＵ１１は、上記ＩＣタグリーダ２から送られてきたユーザ情報に基づいて、排紙トレイ５上に放置された記録用紙Ｍのユーザを把握し、管理データとして記憶部１６に記憶するとともに、対応するユーザのユーザ端末２２に、プリント済みの記録用紙Ｍが放置されている旨の情報をネットワークＩ／Ｆ部１４を介して通知したり、あるいは操作パネル１５の表示部１５０上にユーザ情報を表示させる。また、一定時間経過した記録用紙Ｍに関しては自動的に破棄処理しても良い。
【００４６】
これにより、排紙トレイ５上に放置された記録用紙Ｍが的確に管理される。とくに、前記排紙トレイ５に排紙された記録用紙Ｍを、１枚ずつ非接触型ＩＣタグと通信可能な位置まで移動させた状態で、ＩＣタグリーダ２により該非接触型のＩＣタグに書き込まれたユーザ情報を読み込むので、ＩＣタグとＩＣタグリーダ２との間で高感度の通信が達成されて、正確な情報を取得でき、放置された記録用紙Ｍの適正な管理が行える。
【００４７】
なお、前記移動手段１は、図２に示すような記録用紙Ｍを循環移動させるものに限られることはなく、例えば図４および図５に示すように、直線往復移動用ローラ１ｂなどにより記録用紙Ｍを一定距離Ｌだけ直線往復移動させるように構成し、記録用紙Ｍを所定位置まで往動させた状態で、非接触型ＩＣタグに書き込まれたユーザ情報をＩＣタグリーダ２により読み込むようにすることもできる。
【００４８】
また、前記ＩＣタグライタ３とＩＣタグリーダ２とを、上記のように別々に配置したものに限られるものではなく、図６に示すように、ＩＣタグライタ３と、ＩＣタグリーダ２とを兼用したＩＣタグリーダ・ライタ６を前記移動手段１による搬送経路上またはその近傍に設置してもよい。
【００４９】
このように１つのＩＣタグリーダ・ライタ６を用いることにより、スペースの有効利用や低コスト化を図ることができるメリットがある。
【００５０】
つぎに、上記画像形成装置２１によるプリント（印刷）処理の流れを図７のフローチャートを参照して説明する。
【００５１】
図７において、ステップＳ１０１で、ＣＰＵ１１は、ユーザ端末２２から送信されてきたプリントジョブをネットワークＩ／Ｆ部１４を介して受信し、ステップＳ１０２では、プリントジョブと共に送られてきたユーザ情報を取得し、ステップＳ１０３では、操作パネル１５の表示部１５０に取得したユーザ情報やジョブ情報を表示する。
【００５２】
ついで、ステップＳ１０４では、プリントジョブに基づいて画像データを記録用紙Ｍにプリントする。
【００５３】
ステップＳ１０５では、画像が形成された記録用紙Ｍが排紙トレイ５に搬送される間に、該記録用紙Ｍにおける非接触型ＩＣタグに対して、前記ＩＣタグライタ３によりユーザ情報を書き込んだ後、ステップＳ１０６では、記録用紙Ｍを排紙トレイ５上に排出する。
【００５４】
つぎに、上記排紙トレイ５上の記録用紙Ｍの取り扱い処理の流れを図８のフローチャートを参照して説明する。
【００５５】
図８において、ステップＳ２０１では、排紙トレイ５上に記録用紙Ｍがあるか否かをＣＰＵ１１が判断し、排紙トレイ５上に記録用紙Ｍがなければ（ステップＳ２０１でＮＯ）、そのまま終了する。排紙トレイ５上に記録用紙Ｍがあれば（ステップＳ２０１でＹＥＳ）、ステップＳ２０２に進む。
【００５６】
ステップＳ２０２では、移動手段１により排紙トレイ５上の記録用紙Ｍを移動させて、その記録用紙Ｍの非接触型ＩＣタグのユーザ情報をＩＣタグリーダ２により読み込み、ステップＳ２０３で、読み込んだユーザ情報、ジョブ情報、放置時間などを表示部１５０に表示する。
【００５７】
ついで、ステップＳ２０４では、記録用紙Ｍの中で放置時間が所定時間を経過したものがあるか否かをＣＰＵ１１が判断し、放置時間が所定時間を経過した記録用紙Ｍがなければ（ステップＳ２０４でＮＯ）、そのまま終了する。放置時間が所定時間を経過した記録用紙Ｍがあれば（ステップＳ２０４でＹＥＳ）、ステップＳ２０５では、当該ジョブを指示したユーザのユーザ端末２２に「記録用紙が放置されている」旨を通知して終了する。これにより、ユーザは自分が出力した記録用紙Ｍの取り忘れを認識できる。
【００５８】
図９は、この発明の他の実施形態を示す要部の構成図であり、図２の構成と同一もしくは相当部所には、同一符号を付してそれらの説明を省略する。
【００５９】
図９において、この画像形成装置２１は、前記非接触型ＩＣタグにユーザ情報が書き込まれた記録用紙Ｍを一時保管する記録用紙保管部７を装置内に有しており、画像データをプリントされた記録用紙Ｍは、一旦記録用紙保管部７に排出されるようになっている。
【００６０】
前記移動手段１は、記録用紙保管部７に排出されている記録用紙Ｍを、循環搬送路１ａに沿って帰還可能に移動させるようになっている。
【００６１】
また、ＩＣタグリーダ２により読み込まれたユーザに関する情報に基づいて、記録用紙保管部７に保管されている記録用紙Ｍの中から、排紙トレイ５に排出させるためにユーザが指定した記録用紙Ｍを特定して、取り出し経路１ｃを介してＣＰＵ１１が選択して、排紙トレイ５に排出させるようになっている。
【００６２】
このような構成の画像形成装置２１においては、ＣＰＵ１１は、ユーザ端末２２からのプリントジョブを受け付けるとともに、ユーザ情報を取得すると、プリントデータを画像形成部４に送信し、ユーザ情報をＩＣタグライタ３に送信する。
【００６３】
画像形成部４により画像が形成された記録用紙Ｍが記録用紙保管部７に搬送されるまでに、記録用紙ＭのＩＣタグにＩＣタグライタ３によりユーザ情報が書き込まれる。ユーザ情報が書き込まれた記録用紙Ｍは、記録用紙保管部７に排出され保管される。そして、ユーザ情報として、プリント指示を行ったユーザ名、プリント枚数、放置時間などが、表示部１５０に表示される。
【００６４】
ユーザが、保管部７から取り出したい記録用紙Ｍを表示部１５０からの入力（タッチパネルから選択）により指定すると、記録用紙保管部７に保管されている記録用紙Ｍが移動手段１によって１枚ずつ順次移動させられて、各記録用紙ＭのＩＣタグに書き込まれているユーザ情報が、ＩＣタグリーダ２により読み込まれる。そして、読み込まれたユーザ情報がユーザが指定したものと一致しているかどうかをＣＰＵ１１が判断することにより、記録用紙Ｍを特定し、その特定された記録用紙Ｍのみが排紙トレイ５に排出され、それ以外の記録用紙Ｍは記録用紙保管部７への保管状態が継続される。
【００６５】
これにより、ユーザは排紙トレイ５上に積載された記録用紙Ｍのなかから取り出したい記録用紙Ｍを探すという煩わしい作業から解放されるとともに、誤って他人の記録用紙Ｍを持ち去ったり、記録用紙Ｍの一部を取り残したりするようなミスが防止される。
【００６６】
なお、ユーザ情報を表示する表示手段は、操作パネル１５の表示部１５０だけに限らず、外付けのモニタなどでもよい。また、取り出したい記録用紙Ｍを指定する手段についても、表示部１５０のタッチパネルに限られるものではなく、記録用紙Ｍを取りに来たユーザに、自分のユーザ情報を記憶したＩＣカードを所持させておく一方、画像形成装置２１側にＩＣカードリーダを設けて、前記ＩＣカードを読み取ることにより、取り出したい記録用紙Ｍを自動的に指定することも可能である。
【００６７】
図１０は、この発明のさらに他の実施形態を示すものであり、図９と同一もしくは相当部所には、同一符号を付してそれらの説明を省略する。
【００６８】
図１０において、記録用紙保管部７には、開閉可能なカバー８が設けられており、このカバー８が開けられた時に、移動手段１１による記録用紙保管部８からの記録用紙Ｍの移動が開始され、記録用紙Ｍのユーザ情報を非接触型ＩＣタグから読み込む動作が開始される構成となされている。
【００６９】
排紙トレイ５もしくは記録用紙保管部７にカバー８が設けられていない場合、記録用紙Ｍが持ち去られたか否かを確認するために、排紙トレイ５もしくは記録用紙保管部７に積載された記録用紙Ｍを移動手段１により定期的に移動させ、非接触型ＩＣタグの情報を読み取らなければならない。従って、この移動中は、次のプリントジョブを受け付けても待機させておく必要があり非効率である。
【００７０】
そこで、上記のように、記録用紙保管部７に開閉可能なカバー８を設け、カバー８が開けられた場合に記録用紙Ｍを移動させて、ユーザ情報を確認することにより、カバー８の開放動作がなされない時は、次のプリントジョブを受け付けることができる。
【００７１】
また、ジャムなどのイレギュラーな動作があった場合に、装置内の排紙トレイが開かれて記録用紙Ｍが持ち出されると、残った記録用紙Ｍの管理が不可能になる。このような場合にも、カバー８を備えた記録用紙保管部７に記録用紙Ｍを保管し、カバー８が開けられたときに記録用紙Ｍを移動させることにより、非接触型ＩＣタグに書き込まれた情報内容を、再度確認することができるので、記録用紙Ｍの管理を的確に行うことができる。
【図面の簡単な説明】
【００７２】
【図１】この発明の一実施形態に係る画像形成装置が適用された画像形成システムを示すブロック図である。
【図２】同じく画像形成装置を示す要部構成図である。
【図３】同じく画像形成装置の電気的構成を示すブロック図である。
【図４】記録用紙を直線往復移動させる移動手段を示す概略側面図である。
【図５】同じく移動手段の概略平面図である。
【図６】ＩＣタグリーダ・ライタを使用した場合の画像形成装置の要部構成図である。
【図７】プリント処理の流れを示すフローチャートである。
【図８】排紙トレイ上の記録用紙の取り扱い処理の流れを示すフローチャートである。
【図９】この発明の他の実施形態に係る画像形成装置を示す要部構成図である。
【図１０】この発明のさらに他の実施形態に係る画像形成装置を示す要部構成図である。
【符号の説明】
【００７３】
１      移動手段（循環移動手段）（直線往復移動手段）
２      ＩＣタグライタ
３      ＩＣタグリーダ
４      画像形成部
５      排紙トレイ
６      給紙部
７      記録用紙保管部
８      開閉カバー
１１    ＣＰＵ（制御手段、受付手段、ユーザ情報取得手段）
Ｍ      記録用紙
【図１】
2007038511.tif 000003
【図２】
2007038511.tif 000004
【図３】
2007038511.tif 000005
【図４】
2007038511.tif 000006
【図５】
2007038511.tif 000007
【図６】
2007038511.tif 000008
【図７】
2007038511.tif 000009
【図８】
2007038511.tif 000010
【図９】
2007038511.tif 000011
【図１０】
2007038511.tif 000012